(57)【要約】      （修正有）【課題】鍔を移動しないようにする弾性部材の性能が損耗や劣化により低下した場合、弾性部材を交換可能として使い勝手を向上させた竹刀用鍔止めを提供する。【解決手段】柄の柄元の外径より小さい穴３が中心に形成された所定厚さの弾性部材２と、穴３より大きな中心孔６を有すると共に中心孔６の周囲に複数個の通し孔７が形成された所定厚さの２枚の環状保持板５，５とを備え、環状保持板５，５の間に弾性部材２を挟んで同心状に重ね合わせた状態でシニュー糸１０を通し孔７に通して締め付けることにより環状保持板５，５と弾性部材２を一体状に固定するように設け、弾性部材２を交換可能とした。【選択図】図１
2017029285.tif 000002
【特許請求の範囲】
【請求項１】
竹刀の柄に装着した鍔を固定する竹刀用鍔止めにおいて、
前記柄の柄元の外径より小さい穴が中心に形成された所定厚さの弾性部材と、前記穴より大きな中心孔を有すると共に当該中心孔の周囲に複数個の通し孔が形成された所定厚さの２枚の環状保持板とを備え、それら環状保持板の間に前記弾性部材を挟んで同心状に重ね合わせた状態で紐材を前記通し孔に通して締め付けることにより当該環状保持板と該弾性部材を一体状に固定するように設け、前記弾性部材を交換可能としたことを特徴とする竹刀用鍔止め。
【請求項２】
竹刀の柄に装着した鍔を固定する竹刀用鍔止めにおいて、
前記柄の柄元の外径より小さい穴が中心に形成された所定厚さの弾性部材と、前記穴より大きな中心孔を有すると共に当該中心孔の周囲に複数個の通し孔が形成された所定厚さの環状保持板とを備え、その環状保持板に前記弾性部材を同心状に重ね合わせた状態で紐材を前記通し孔に通して締め付けることにより当該環状保持板と該弾性部材を一体状に固定するように設け、前記弾性部材を交換可能としたことを特徴とする竹刀用鍔止め。
【請求項３】
前記弾性部材に、前記環状保持板の通し孔に対応する複数個の小孔が設けられていることを特徴とする請求項１又は請求項２に記載の竹刀用鍔止め。
【請求項４】
前記紐材が合成樹脂製紐であって、その紐の始端と終端が当該紐の一部に溶着されていることを特徴とする請求項１から請求項３の何れかに記載の竹刀用鍔止め。
【請求項５】
前記紐部材が革紐であって、その革紐の始端と終端が当該革紐の一部に狭着若しくは結束されていることを特徴とする請求項１から請求項３の何れかに記載の竹刀用鍔止め。
【発明の詳細な説明】
【技術分野】
【０００１】
本発明は、剣道で使用される竹刀の柄に装着する鍔を固定するための竹刀用鍔止めに関する。
【背景技術】
【０００２】
竹刀は、複数の長尺の割片を筒形断面に組み合わせてなる竹刀本体を備え、竹刀本体のテーパー形状の柄部に有底筒形状の柄革をきつめに装着すると共に刀身部の先端に先芯部材を嵌めてから先革を装着し、それら先革と柄革との間に弦を張ると共に弦に一端を係止した中結が先革寄りに巻き付けられた構成とされている。竹刀の大径側の柄元には、小径側の柄頭から通された円形の鍔が柄革の開口周縁部まで押し込まれた状態で鍔が前後に移動しないように鍔止めにより固定される。
【０００３】
鍔止めには、鍔と独立したものや鍔と一体状に固定した構造のものが知られているが、それらの外径は鍔よりも少し小さな形態とされている。
【０００４】
因みに、全日本剣道連盟において、「つば（鍔）は、皮革または化学製品の円形のものとする。その大きさは直径９センチメートル以下とし、竹刀に固定する。」とされている（非特許文献１、細則第２条３）。
【０００５】
特許文献１には、竹刀の柄に装着される際に第一穴の周縁部が屈曲して柄を締め付ける第一弾性シートと、第一弾性シートに重ねられて第一穴より大きな第二穴の周縁部が第一穴の周縁部と共同して鍔の移動を阻止する第二弾性シートを有する構成の鍔止めと、第一弾性シート又は第二弾性シートの側面に保形性環状体を備えた鍔止めが開示されている。
【０００６】
また、特許文献２には、鍔の内周面に軟質合成ゴムで形成された鍔止め体をインサート成形によって鍔体に一体的に設けられた鍔が開示されている。
【０００７】
上記鍔止めの第一弾性シートや第二弾性シートは、合成ゴム等の伸縮可能な弾力性材料で形成されており、竹刀の柄に着脱する度に穴、特に第一穴の周縁部が屈曲を繰り返されることと、柄革に圧接されることから必然的に損耗を生ずる。そして、第一弾性シートや第二弾性シートが損耗した場合には、鍔を柄に固定する性能が低下して稽古や試合中に移動する虞を生じ、そのまま使用して鍔が移動するような状態となれば稽古や試合に集中することが妨げられる要因ともなる。この鍔止めは、第一弾性シートや第二弾性シートを新たなものと交換可能とする構造とされていないので使い捨てになり、比較的に高価であることから使用者にとって経済的観点から好ましくないと言えよう。
【０００８】
特許文献２に記載された鍔についても、鍔止め体が損耗・劣化した場合に新たなものと交換可能な構造とされていなく、特許文献１の鍔止めと同様の不都合を生ずる。
【先行技術文献】
【特許文献】
【０００９】
【特許文献１】特開２００４−３１３３５５号公報
【特許文献２】特開平２−６０６７０号公報
【非特許文献】
【００１０】
【非特許文献１】「剣道試合・審判規則」平成１１年４月、財団法人  全日本剣道連盟
【発明の概要】
【発明が解決しようとする課題】
【００１１】
本発明の目的は、柄を弾力作用によって締め付けて鍔を移動しないようにする弾性部材の性能が損耗や劣化により低下した場合、その弾性部材を交換可能とすることにより使い勝手を向上させた竹刀用鍔止めを提供することにある。
【課題を解決するための手段】
【００１２】
前記目的を達成するために請求項１に記載した発明は、竹刀の柄に装着した鍔を固定する竹刀用鍔止めにおいて、
前記柄の柄元の外径より小さい穴が中心に形成された所定厚さの弾性部材と、前記穴より大きな中心孔を有すると共に当該中心孔の周囲に複数個の通し孔が形成された所定厚さの２枚の環状保持板とを備え、それら環状保持板の間に前記弾性部材を挟んで同心状に重ね合わせた状態で紐材を前記通し孔に通して締め付けることにより当該環状保持板と該弾性部材を一体状に固定するように設け、前記弾性部材を交換可能としたことを特徴とするものである。
【００１３】
同様の目的を達成するために請求項２に記載した発明は、竹刀の柄に装着した鍔を固定する竹刀用鍔止めにおいて、
前記柄の柄元の外径より小さい穴が中心に形成された所定厚さの弾性部材と、前記穴より大きな中心孔を有すると共に当該中心孔の周囲に複数個の通し孔が形成された所定厚さの環状保持板とを備え、その環状保持板に前記弾性部材を同心状に重ね合わせた状態で紐材を前記通し孔に通して締め付けることにより当該環状保持板と該弾性部材を一体状に固定するように設け、前記弾性部材を交換可能としたことを特徴とするものである。
【００１４】
柄頭から通した鍔を柄革の開口周縁部まで押し込んだ状態にて、竹刀用鍔止めを柄頭から通して鍔に弾性部材の側面が当接するまで押し込む。これにより、鍔止めの弾性部材の弾力作用により柄が締め付けられるので鍔は容易に移動しなくなる。また、弾性部材の性能が低下して鍔が動きやすくなった場合には、その弾性部材を新しいものと取り換えて紐材によって環状保持板と弾性部材を一体状に固定する補修を施すことにより、再び鍔止めとしての固定保持機能を発揮する。
【００１５】
この竹刀用鍔止めは、鍔を固定する本来の機能を有すると共に損耗や劣化した弾性部材を新しいものと交換可能としているので、使用者の経済的負担の軽減と使い勝手の向上に資する。
【００１６】
同様の目的を達成するために請求項３に記載した発明は、請求項１又は請求項２に記載の竹刀用鍔止めにおいて、前記弾性部材に、前記環状保持板の通し孔に対応する複数個の小孔が設けられていることを特徴とするものである。
【００１７】
弾性部材に小孔を設けることにより、環状保持板に弾性部材を取り付けるための紐材が吟革のように太い場合に固定を施す作業が行い易い。なお、紐材が細い場合は、革細工用針を直に弾性部材に刺すことによって固定を施す作業を行うことができるので、小孔を設けなくてもよい。
【００１８】
同様の目的を達成するために請求項４に記載した発明は、請求項１から請求項３の何れかに記載の竹刀用鍔止めにおいて、前記紐材が合成樹脂製紐であって、その紐の始端と終端が当該紐の一部に溶着されていることを特徴とするものである。
【００１９】
環状保持板の間に弾性部材を挟んで同心状に重ね合わせた状態、又は環状保持板に弾性部材を同心状に重ね合わせた状態において、合成樹脂製紐を通し孔に順番に通して締め付けてから紐の一部と重なる当該紐の始端及び/又は終端を加熱することによって溶着を施す。これにより環状保持板と弾性部材は一体状に固定される。
【００２０】
同様の目的を達成するために請求項５に記載した発明は、請求項１から請求項３の何れかに記載の竹刀用鍔止めにおいて、前記紐部材が革紐であって、その革紐の始端と終端が当該革紐の一部に狭着若しくは結束されていることを特徴とするものである。
【００２１】
環状保持板の間に弾性部材を挟んで同心状に重ね合わせた状態、又は環状保持板に弾性部材を同心状に重ね合わせた状態において、革紐を通し孔に順番に通して締め付けると共に当該革紐の始端と終端を当該革紐の一部に狭着させ若しくは結束させる。これにより環状保持板と弾性部材は一体状に固定される。
【発明の効果】
【００２２】
（請求項１の発明）
この竹刀用鍔止めによれば、柄頭から通した鍔を柄革の開口周縁部まで押し込んだ状態にて、柄頭から通した竹刀用鍔止めを鍔に環状保持板の側面が当接するまで押し込むことにより、鍔止めの弾性部材の弾力作用によって柄が締め付けられるため鍔は容易に移動しない。そして、弾性部材が経年劣化等により機能低下して鍔が動きやすくなった場合には、弾性部材を新しいものと取り換える。すなわち、紐材によって環状保持板と新しい弾性部材を一体状に固定する補修を施せば、再び鍔止めとしての機能を発揮する。
【００２３】
この竹刀用鍔止めは、鍔を固定する本来の機能を有することは勿論のこと、使用による損耗や経年劣化した弾性部材を新しいものと交換可能としているので、使用者の経済的負担の軽減と使い勝手の向上に資する。
【図面の簡単な説明】
【００２４】
【図１】本発明に係る第１実施形態の竹刀用鍔止めの一部破断正面図
【図２】同竹刀用鍔止めの中央縦断端面図
【図３】弾性部材の正面図を示し、（ａ）小孔なし、（ｂ）小孔あり
【図４】第１実施形態の竹刀用鍔止めを竹刀に装着した状態を示す説明図
【図５】本発明に係る第２実施形態の竹刀用鍔止めの正面図
【発明を実施するための形態】
【００２５】
以下に、本発明の最良の形態例を図面に基づいて説明する。
【００２６】
（第１実施形態例）
図１に本発明に係る第１実施形態の竹刀用鍔止め１を示す。この竹刀用鍔止め１は、竹刀３０の柄元の外径より小さい穴３を中心に形成した所定厚さの弾性部材２と、その穴３より大きな中心孔６を有する所定厚さの２枚の環状保持板５，５とを備えている。
【００２７】
因みに、柄革が装着されていない竹刀本体の柄元の外径（太さ）寸法については、大学生・一般のもので約２９ｍｍである。鍔の外径については９ｃｍ以下と定められており（前掲「剣道試合・審判規則」）、一例として外径８４ｍｍ、厚さ８．５ｍｍのものがある。
【００２８】
弾性部材２は、図３（ａ）に示すように、天然ゴムや合成ゴム等の軟質で柔軟性を有する材料により厚さ２ｍｍの平板形状に設けられている。その大きさ（外形寸法）については、後記環状保持板５と同じ程度の６〜７ｃｍとする。穴３の大きさは、柄元の外径が２９ｍｍの場合に２２〜２６ｍｍに形成される。柄元の外径がそれよりも小さい場合には、穴３の大きさも適宜小さく形成するものとする。
【００２９】
図１に示すように、環状保持板５は、水牛の皮や硬質合成樹脂等の剛性を有する材料により厚さ１ｍｍ程度の平板形状で大きさ６〜７ｃｍとされていて、直径４ｃｍの中心孔６を設けている。その外観形態については特に限定しなく円形、八角形、六角形等の任意形状に設けるものとする。７は中心孔６の周囲に形成された複数個の直径２〜２．５ｍｍ程度の通し孔である。
【００３０】
しかして、２枚の環状保持板５，５の間に弾性部材２を挟んで同心状に重ね合わせた状態において、合成樹脂製紐であるシニュー糸（幅：１ｍｍ、厚さ０．５ｍｍ）１０を通した図示しない縫い針を通し孔７に順に通して縫い進んでからシニュー糸１０の始端と終端をガスライター等で適宜加熱して当該シニュー糸１０の一部に夫々溶着することにより、環状保持板５，５と弾性部材２とを一体状に固定するように設ける。これにより、本発明に係る第１実施形態の竹刀用鍔止め１が構成される。
【００３１】
因みに、シニュー糸とは、動物の腱を模したナイロン製のロウ引きした糸をいい、レザークラフトで一般的に使用されているものである。
【００３２】
つぎに、本発明に係る第１実施形態の竹刀用鍔止め１の使い方について述べる。
図４に示すように、竹刀３０の柄３１に通した鍔４０を柄革３５の開口部分を折り曲げて形成された開口周縁部３６まで押し込む。
ついで、竹刀用鍔止め１を鍔４０の裏面に当接するまで押し込む。その際に、弾性部材２の穴３が拡張しその周縁部２ａが後方の柄頭側へ曲げ延ばされることにより、弾性部材２の周縁部２ａが柄３１を強く締め付ける。
これにより、鍔４０と鍔止め１は前後に容易に移動しないように固定される。
他方、この鍔止１を外す場合には、強制的に柄頭側へ移動させることにより容易に行うことができる。
【００３３】
（第２実施形態例）
図５に本発明に係る第２実施形態の竹刀用鍔止め２１を示す。この竹刀用鍔止め２１は、前記シニュー糸１０に代えて革紐２５を使用しており、それ以外の構成については第１実施形態の竹刀用鍔止め１と同一であり、同一の構成については同一の符号を図面に付して説明を省く。
【００３４】
また、弾性部材については、前記弾性部材２と同じもの若しくは図３（ｂ）に示す前記環状保持板５の通し孔７に対応する複数個の小孔４が設けられているものを用いる。
【００３５】
しかして、２枚の環状保持板５，５の間に弾性部材２を挟んで同心状に重ね合わせた状態において、厚さ１．５ｍｍ、幅：３ｍｍ程度の革紐２５を通した図示しない縫い針を通し孔７に順に通して縫い進み、革紐２５の始端と終端を当該革紐２５の一部に狭着若しくは結束することにより、環状保持板５，５と弾性部材２を一体状に固定するように設ける。これにより、本発明に係る第２実施形態の竹刀用鍔止め２１が構成される。
【００３６】
この第２実施形態の竹刀用鍔止め２１の使い方については、前述した第１実施形態の竹刀用鍔止め１と同様である。
【００３７】
第１実施形態の竹刀用鍔止め１と第２実施形態の竹刀用鍔止め２１においては、いずれも２枚の環状保持板５を用いる構成としているが、これに代えて１枚の環状保持板５に弾性部材２を同心状に重ね合わせた状態で前記シニュー糸１０又は前記革紐２５により環状保持板５と弾性部材２を一体状に固定するように設けた竹刀用鍔止めとすることもできる（請求項２の発明）。
【００３８】
さらに、本発明に係る竹刀用鍔止めにおいては、弾性部材が損耗や経年劣化した場合、その弾性部材に代えて新しい弾性部材に交換可能とする新たな構成としている。
なお、その交換作業方法については、前記構成中で述べた内容により容易に理解されると思料されることから説明を省略する。
【符号の説明】
【００３９】
１・・・本発明に係る第１実施形態の竹刀用鍔止め
２・・・弾性部材
３・・・穴
４・・・小孔
５・・・環状保持板
６・・・中心孔
７・・・通し孔
１０・・・シニュー糸（紐材）
２１・・・本発明に係る第２実施形態の竹刀用鍔止め
２５・・・革紐（紐材）
３０・・・竹刀
３１・・・柄
４０・・・鍔
【図１】
2017029285.tif 000003
【図２】
2017029285.tif 000004
【図３】
2017029285.tif 000005
【図４】
2017029285.tif 000006
【図５】
2017029285.tif 000007